(57)【要約】【課題】従来、ユーザは、複数の商品が配置された配置場所に居ながら、当該複数の商品の商品情報を比較可能な態様で見ることができなかった。【解決手段】店舗内の複数の商品が陳列される一の配置場所に対応する識別コードであり、端末装置に対応付けられた一の識別コードを受信する受信部と、一の識別コードに対応付けられた複数の商品に関する複数の商品情報の集合である商品情報集合を取得する取得部と、取得部が取得した商品情報集合を端末装置に送信する商品情報集合送信部とを具備し、端末装置において、商品情報集合送信部が送信した商品情報集合が有する複数の商品情報が比較可能な態様で出力される、サーバ装置により、ユーザは、複数の商品が配置された配置場所に居ながら、当該複数の商品の商品情報を比較可能な態様で見ることができる。【選択図】図２
2019179294.tif 000002
【特許請求の範囲】
【請求項１】
店舗内の複数の商品が陳列される一の配置場所に対応する識別コードであり、端末装置に対応付けられた一の識別コードを受信する受信部と、
前記一の識別コードに対応付けられた複数の商品に関する複数の商品情報の集合である商品情報集合を取得する取得部と、
前記取得部が取得した商品情報集合を前記端末装置に送信する商品情報集合送信部とを具備し、
前記端末装置において、前記商品情報集合送信部が送信した商品情報集合が有する複数の商品情報が比較可能な態様で出力される、サーバ装置。
【請求項２】
店舗内の複数の商品が陳列される一の配置場所に対応する一の識別コードに対応付けられた複数の商品に関する複数の商品情報の集合である商品情報集合が、１または２以上格納される商品情報集合格納部をさらに具備し、
前記取得部は、
前記識別コードに対応付けられている商品情報集合を前記商品情報集合格納部から取得する請求項１記載のサーバ装置。
【請求項３】
前記端末装置において、前記送信部が送信した商品情報集合が有する複数の商品情報が比較可能な態様である比較表が出力される請求項１または請求項２記載のサーバ装置。
【請求項４】
前記商品情報は、１以上の商品属性値を有し、
前記端末装置において、１以上の商品属性値を用いて、同一の１以上の商品属性値に対応する複数の商品情報が比較可能な態様である２以上の比較表が出力される請求項３記載のサーバ装置。
【請求項５】
前記取得部は、
前記商品情報集合が有する複数の商品情報が比較可能な態様である１または２以上の比較表を構成し、
前記送信部は、
前記取得部が構成した比較表を前記端末装置に送信する請求項３または請求項４記載のサーバ装置。
【請求項６】
前記識別コードは、店舗を識別する店舗識別子をも有し、
前記取得部は、
前記識別コードが有する店舗識別子に対応する店舗情報をも取得し、
前記送信部は、
前記商品情報集合と前記店舗情報とを前記端末装置に送信する請求項１から請求項５いずれか一項に記載のサーバ装置。
【請求項７】
前記受信部は、
前記端末装置のユーザを識別するユーザ識別子をも前記端末装置から受信し、
前記取得部は、
前記ユーザ識別子と対になるユーザに関するユーザ情報をも取得し、
前記端末装置において、前記取得部が取得したユーザ情報に応じて、前記複数の商品情報のうち１以上の商品情報が異なる態様で出力される請求項１から請求項６いずれか一項に記載のサーバ装置。
【請求項８】
前記取得部は、
前記ユーザ識別子と対になるユーザの家族に関する家族情報をも取得し、
前記端末装置において、前記取得部が取得した家族情報に応じて、前記複数の商品情報のうち１以上の商品情報が異なる態様で出力される請求項７記載のサーバ装置。
【請求項９】
ユーザ情報が有するユーザ属性値または家族情報が有する家族属性値に関する条件を示す条件情報と、出力態様の変更を特定する変更情報との対応を示す１以上の出力変更情報が格納される出力変更情報格納部をさらに具備し、
前記取得部は、
前記ユーザ識別子と対になるユーザ情報または家族情報が有するユーザ属性値または家族属性値を取得し、当該ユーザ属性値または家族属性値に合致する条件情報と対になる変更情報が特性する出力態様の変更を行った１以上の商品情報を含む商品情報集合を取得する請求項７または請求項８記載のサーバ装置。
【請求項１０】
前記端末装置で、前記複数の商品情報が出力されている状態において、受け付けられた一の商品情報の選択に対して、前記一の配置場所における前記選択された商品情報に対する商品の位置を視覚的に明示する商品陳列画像であり、前記一の配置場所における商品の画像である商品陳列画像を送信する商品陳列画像送信部をさらに具備する請求項１から請求項９いずれか一項に記載のサーバ装置。
【請求項１１】
受信部と、取得部と、商品情報集合送信部とにより実現される情報処理方法であって、
前記受信部が、店舗内の複数の商品が陳列される一の配置場所に対応する識別コードであり、端末装置に対応付けられた一の識別コードを受信する受信ステップと、
前記取得部が、前記一の識別コードに対応付けられた複数の商品に関する複数の商品情報の集合である商品情報集合を取得する取得ステップと、
前記商品情報集合送信部が、前記取得部が取得した商品情報集合を前記端末装置に送信する商品情報集合送信ステップとを具備し、
前記端末装置において、前記商品情報集合送信ステップで送信された商品情報集合が有する複数の商品情報が比較可能な態様で出力される、情報処理方法。
【請求項１２】
コンピュータを、
店舗内の複数の商品が陳列される一の配置場所に対応する識別コードであり、端末装置に対応付けられた一の識別コードを受信する受信部と、
前記一の識別コードに対応付けられた複数の商品に関する複数の商品情報の集合である商品情報集合を取得する取得部と、
前記取得部が取得した商品情報集合を前記端末装置に送信する商品情報集合送信部として機能させ、
前記端末装置において、前記商品情報集合送信部が送信した商品情報集合が有する複数の商品情報が比較可能な態様で出力される、プログラム。
【発明の詳細な説明】
【技術分野】
【０００１】
本発明は、店舗内の複数の商品の商品情報を出力する情報システム等に関するものである。
【背景技術】
【０００２】
従来、顧客または店員が、店頭で詳細商品情報を、タブレット、スマホ、等を使って、商品詳細情報が格納されているＤＢサーバから、ウェブ経由で閲覧、確認する時、当該商品を選択する方法として、以下の（１）（２）のような方法があった。
（１）端末装置を用いて、ＤＢサーバにログインして、ＤＢサーバが提供する検索機能を使って、当該商品の品名、ＪＡＮコード等で絞り込み検索、端末装置に一覧表示させ、顧客または店員が、一覧表示された商品群の中から商品を選択する。
（２）商品に１：１でリンクしたＱＲコード（登録商標）、バーコード等を、商品またはプライスカード等に印刷されており、顧客または店員が、タブレット、スマホ等に付属するＱＲコード等の読み取り機能を使って、ＤＢサーバから直接的に当該商品が選択され、タブレット等に商品情報が表示される。なお、（２）は、（１）に比べて、文字入力が少なくなるので、スマホ、タブレットの場合は、操作性は高い。
【０００３】
さらに、従来、複数の売場を有する店舗において、顧客が興味を持った商品に付されたＩＣタグから、該商品を識別するための商品コードをリードするＩＣタグリーダ５と、商品コードに基づいて、無線ターミナルおよびネットワークを介して、商品管理装置に、接客に用いられる商品情報を問い合わせ、商品情報を表示部に表示し、担当者または顧客に報知する制御部とを備えている接客支援プログラムがあった（特許文献１参照）。
【先行技術文献】
【特許文献】
【０００４】
【特許文献１】特開２００５−１２８９２９号公報（第１頁、第１図等）
【発明の概要】
【発明が解決しようとする課題】
【０００５】
しかしながら、従来技術においては、ユーザは、複数の商品が配置された配置場所に居ながら、当該複数の商品の商品情報を比較可能な態様で見ることができなかった。
【課題を解決するための手段】
【０００６】
本第一の発明のサーバ装置は、店舗内の複数の商品が陳列される一の配置場所に対応する識別コードであり、端末装置に対応付けられた一の識別コードを受信する受信部と、一の識別コードに対応付けられた複数の商品に関する複数の商品情報の集合である商品情報集合を取得する取得部と、取得部が取得した商品情報集合を端末装置に送信する商品情報集合送信部とを具備し、端末装置において、商品情報集合送信部が送信した商品情報集合が有する複数の商品情報が比較可能な態様で出力される、サーバ装置である。
【０００７】
かかる構成により、ユーザは、複数の商品が配置された配置場所に居ながら、当該複数の商品の商品情報を比較可能な態様で見ることができる。
【０００８】
また、本第二の発明のサーバ装置は、第一の発明に対して、店舗内の複数の商品が陳列される一の配置場所に対応する一の識別コードに対応付けられた複数の商品に関する複数の商品情報の集合である商品情報集合が、１または２以上格納される商品情報集合格納部をさらに具備し、取得部は、識別コードに対応付けられている商品情報集合を商品情報集合格納部から取得するサーバ装置である。
【０００９】
かかる構成により、ユーザは、複数の商品が配置された配置場所に居ながら、当該複数の商品の商品情報を比較可能な態様で見ることができる。
【００１０】
また、本第三の発明のサーバ装置は、第一または第二の発明に対して、端末装置において、送信部が送信した商品情報集合が有する複数の商品情報が比較可能な態様である比較表が出力されるサーバ装置である。
【００１１】
かかる構成により、ユーザは、複数の商品が配置された配置場所に居ながら、当該複数の商品の商品情報の比較表を見ることができる。
【００１２】
また、本第四の発明のサーバ装置は、第三の発明に対して、商品情報は、１以上の商品属性値を有し、端末装置において、１以上の商品属性値を用いて、同一の１以上の商品属性値に対応する複数の商品情報が比較可能な態様である２以上の比較表が出力されるサーバ装置である。
【００１３】
かかる構成により、ユーザは、商品属性値によって２以上に分類される複数の商品が配置された配置場所に居ながら、商品属性値ごとの比較表を見ることができる。
【００１４】
また、本第五の発明のサーバ装置は、第三または第四の発明に対して、取得部は、商品情報集合が有する複数の商品情報が比較可能な態様である１または２以上の比較表を構成し、送信部は、取得部が構成した比較表を端末装置に送信するサーバ装置である。
【００１５】
かかる構成により、ユーザは、複数の商品が配置された配置場所に居ながら、当該複数の商品の比較表を見ることができる。
【００１６】
また、本第六の発明のサーバ装置は、第一から第五いずれか１つの発明に対して、識別コードは、店舗を識別する店舗識別子をも有し、取得部は、識別コードが有する店舗識別子に対応する店舗情報をも取得し、送信部は、商品情報集合と店舗情報とを端末装置に送信するサーバ装置である。
【００１７】
かかる構成により、ユーザは、複数の商品が配置された配置場所に居ながら、当該比較可能な態様で提示された複数の商品の商品情報と店舗の情報とを見ることができる。
【００１８】
また、本第七の発明のサーバ装置は、第一から第六いずれか１つの発明に対して、受信部は、端末装置のユーザを識別するユーザ識別子をも端末装置から受信し、取得部は、ユーザ識別子と対になるユーザに関するユーザ情報をも取得し、端末装置において、取得部が取得したユーザ情報に応じて、複数の商品情報のうち１以上の商品情報が異なる態様で出力されるサーバ装置である。
【００１９】
かかる構成により、ユーザ情報を加味した複数の商品の商品情報を出力できる。
【００２０】
また、本第八の発明のサーバ装置は、第七の発明に対して、取得部は、ユーザ識別子と対になるユーザの家族に関する家族情報をも取得し、端末装置において、取得部が取得した家族情報に応じて、複数の商品情報のうち１以上の商品情報が異なる態様で出力されるサーバ装置である。
【００２１】
かかる構成により、家族情報を加味した複数の商品の商品情報を出力できる。
【００２２】
また、本第九の発明のサーバ装置は、第七または第八の発明に対して、ユーザ情報が有するユーザ属性値または家族情報が有する家族属性値に関する条件を示す条件情報と、出力態様の変更を特定する変更情報との対応を示す１以上の出力変更情報が格納される出力変更情報格納部をさらに具備し、取得部は、ユーザ識別子と対になるユーザ情報または家族情報が有するユーザ属性値または家族属性値を取得し、ユーザ属性値または家族属性値に合致する条件情報と対になる変更情報が特性する出力態様の変更を行った１以上の商品情報を含む商品情報集合を取得するサーバ装置である。
【００２３】
かかる構成により、ユーザ情報または家族情報を加味した複数の商品の商品情報を出力できる。
【００２４】
また、本第十の発明のサーバ装置は、第一から第九いずれか１つの発明に対して、端末装置で、複数の商品情報が出力されている状態において、受け付けられた一の商品情報の選択に対して、一の配置場所における選択された商品情報に対する商品の位置を視覚的に明示する商品陳列画像であり、一の配置場所における商品の画像である商品陳列画像を送信する商品陳列画像送信部をさらに具備するサーバ装置である。
【００２５】
かかる構成により、商品陳列画像を用いて、陳列されている商品の中で、ユーザが選択した商品の位置を視覚的に明示できる。
【発明の効果】
【００２６】
本発明によるサーバ装置によれば、ユーザは、複数の商品が配置された配置場所に居ながら、当該複数の商品の商品情報を比較可能な態様で見ることができる。
【図面の簡単な説明】
【００２７】
【図１】実施の形態１における情報システムＡの概念図
【図２】情報システムＡのブロック図
【図３】同サーバ装置１の動作例について説明するフローチャート
【図４】同出力情報構成処理の例について説明するフローチャート
【図５】同端末装置２の動作例について説明するフローチャート
【図６】同商品情報管理表を示す図
【図７】同商品配置管理を示す図
【図８】同商品陳列画像管理表を示す図
【図９】同ユーザ情報管理表を示す図
【図１０】同家族情報管理表を示す図
【図１１】同出力変更情報管理表を示す図
【図１２】同情報システムＡの利用のイメージ図
【図１３】同出力例を示す図
【図１４】同出力例を示す図
【図１５】同情報システムＡの利用のイメージ図
【図１６】同出力例を示す図
【図１７】同コンピュータシステムの概観図
【図１８】同コンピュータシステムのブロック図
【発明を実施するための形態】
【００２８】
以下、サーバ装置等の実施形態について図面を参照して説明する。なお、実施の形態において同じ符号を付した構成要素は同様の動作を行うので、再度の説明を省略する場合がある。
【００２９】
（実施の形態１）
本実施の形態において、店舗内の複数の商品の配置場所に対応する識別コードを受信し、当該識別コードに対応する２以上の商品情報を取得し、当該２以上の商品情報を端末装置に送信するサーバ装置を具備する情報システムについて説明する。
【００３０】
また、本実施の形態において、２以上の商品情報が比較可能な態様である比較表を構成し、端末装置に送信するサーバ装置を具備する情報システムについて説明する。
【００３１】
また、本実施の形態において、識別コードに含まれた店舗識別子に対応する店舗情報を取得し、端末装置に送信する。サーバ装置を具備する情報システムについて説明する。
【００３２】
また、本実施の形態において、ユーザ情報（例えば、小麦アレルギーであること等）により、１以上の商品情報の出力態様が異なる情報システムについて説明する。
【００３３】
また、本実施の形態において、家族情報（例えば、小学校低学年の女子の子が居る等）により、１以上の商品情報の出力態様が異なる情報システムについて説明する。
【００３４】
さらに、本実施の形態において、比較表の中の一の商品情報の選択により、商品の位置が視覚的に表示される情報システムについて説明する。
【００３５】
図１は、本実施の形態における情報システムＡの概念図である。情報システムＡは、サーバ装置１、および１または２以上の端末装置２を具備する。サーバ装置１  は、ここではいわゆるサーバ装置である。サーバ装置１  は、例えば、クラウドサーバやＡＳＰサーバであるが、そのタイプや設置場所は問わない。端末装置２は、スマートフォンやタブレット端末や携帯電話等の携帯端末等、いわゆるノートパソコン等であり、そのタイプは問わない。また、サーバ装置１と１以上の各端末装置２とは、インターネット等のネットワークにより通信可能である。
【００３６】
図２は、本実施の形態における情報システムＡのブロック図である。
【００３７】
情報システムＡを構成するサーバ装置１は、格納部１１、受付部１２、受信部１３、処理部１４、および送信部１５を備える。格納部１１は、商品情報集合格納部１１１、ユーザ情報格納部１１２、家族情報格納部１１３、および出力変更情報格納部１１４を備える。処理部１４は、取得部１４１を備える。取得部１４１は、例えば、商品情報取得手段１４１１、ユーザ情報取得手段１４１２、家族情報取得手段１４１３、および比較表構成手段１４１４を備える。送信部１５は、商品情報集合送信部１５１、および商品陳列画像送信部１５２を備える。
【００３８】
端末装置２は、端末格納部２１、端末受付部２２、端末処理部２３、端末送信部２４、端末受信部２５、および端末出力部２６を備える。
【００３９】
サーバ装置１を構成する格納部１１には、各種の情報が格納される。各種の情報とは、例えば、後述する商品情報集合、後述するユーザ情報、後述する家族情報、後述する出力変更情報、店舗情報、商品陳列画像である。店舗情報とは、店舗に関する情報である。店舗情報は、通常、店舗を識別する店舗識別子を有する。店舗情報は、例えば、１以上の店舗属性値を有する。店舗属性値は、例えば、店舗名、店舗のロゴの画像、住所、電話番号等である。なお、店舗情報は、外部の図示しない装置に格納されていても良い。商品陳列画像は、商品を陳列した棚または領域または冷蔵庫等の画像である。商品陳列画像は、商品が配置されていない棚の画像、商品が配置されていない冷蔵庫等の画像でも良い。商品陳列画像は、例えば、ＨＴＭＬ、ＸＭＬ、ｇｉｆ、ｊｐｅｇ等により実現され得る。ただし、商品陳列画像のデータ構造は問わない。商品陳列画像は、通常、識別コードに対応付けて格納される。なお、識別コードは、複数の商品の配置場所を特定する情報を含む。識別コードは、店舗を識別する店舗識別子をも含むことは好適である。なお、配置場所を特定する情報を配置識別子と言っても良い。
【００４０】
商品情報集合格納部１１１には、１または２以上の商品情報集合が格納される。商品情報集合は、複数の商品情報の集合である。商品情報は、商品に関する情報である。商品情報は、通常、商品を識別する商品識別子を有する。商品情報は、１以上の商品属性値を有する。複数の商品情報は、一の識別コードに対応付けられている。一の識別コードは、店舗内の複数の商品が陳列される一の配置場所を識別する情報である。商品情報は、１以上の付加情報を有しても良い。付加情報は、商品に対して付加的な情報であり、例えば、レシピ情報、商品のＣＭ情報である。レシピ情報は、商品を使用したレシピの情報である。レシピ情報は、属性値を有しても良い。属性値は、例えば、減塩レシピであることを示す情報、小学校低学年女子向けお弁当レシピであることを示す情報等である。ＣＭ情報は、商品をアピールする情報であれば良く、例えば、静止画、動画等であるが、そのデータ構造は問わない。
【００４１】
また、１以上の商品属性値は、例えば、商品の種類を示す種類情報、商品の仕様を示す仕様情報、価格を示す価格情報などである。仕様情報は、例えば、量を示す量情報、サイズを示すサイズ情報、性能を示す性能情報などを含む。
【００４２】
ユーザ情報格納部１１２には、１または２以上のユーザ情報が格納される。ユーザ情報は、ユーザに関する情報である。ユーザ情報は、ユーザ識別子と対になる情報である。ユーザ識別子と対になる情報は、ユーザ識別子を含む情報でも良い。ユーザ識別子は、端末装置２のユーザを識別する情報である。ユーザ識別子は、端末装置２を識別する情報でも良い。ユーザ識別子は、例えば、ユーザＩＤ、電話番号、メールアドレス、端末装置２のＭＡＣアドレス、ＩＰアドレス等である。ユーザ情報は、１または２以上のユーザ属性値を有する。ユーザ属性値は、ユーザの属性値である。ユーザ属性値は、例えば、年齢、住所、学年、職業、勤務先に関する情報、年収、アレルギーに関する情報、生体情報等である。アレルギーに関する情報は、例えば、アレルギー対象の食材、アレルギーの有無である。生体情報は、例えば、体重、身長、血圧、高血圧であるか否か、カロリーを気にするか否か、ダイエット中であるか否か等である。
【００４３】
家族情報格納部１１３には、１または２以上の家族情報が格納される。家族情報は、ユーザ識別子と対になるユーザの家族に関する情報である。一のユーザ識別子に対応付けて、２以上の家族情報が格納されていても良い。ユーザ識別子と対になることは、ユーザ識別子を含むことでも良い。家族情報は、端末装置２のユーザの家族の情報である。家族情報は、１または２以上の家族属性値を有する。家族属性値は、例えば、続柄、年齢、住所、学年、職業、勤務先に関する情報、年収、アレルギーに関する情報、生体情報等である。なお、続柄は、例えば、配偶者、娘、息子、父、母等である。アレルギーに関する情報は、例えば、アレルギーを発生する食材、アレルギーの有無等である。生体情報は、例えば、血圧、脈拍等である。
【００４４】
出力変更情報格納部１１４は、１または２以上の出力変更情報が格納される。出力変更情報は、出力態様の変更を特定するための情報である。出力変更情報は、条件情報と変更情報との対応を示す情報である。２つの情報の対応を示す情報は、２つの情報を有する情報でも良いし、２つの情報をリンクするリンク情報でも良い。条件情報は、ユーザ属性値または家族属性値に関する情報を含む条件を示す情報である。条件情報は、例えば、ユーザ属性値および家族属性値に関する情報を含む条件を示す情報である。また、条件情報は、例えば、ユーザ属性値または家族属性値に関する情報と商品属性値に関する情報とを含む条件を示す情報である。また、条件情報は、例えば、ユーザ属性値および家族属性値に関する情報と商品属性値に関する情報とを含む条件を示す情報である。条件情報は、通常、ユーザ属性値または家族属性値と、商品属性値との関係に関する条件を示す情報である。変更情報は、出力態様の変更を示す情報である。変更情報は、出力態様の変更のために用いられる情報である。変更情報は、例えば、関数を含む。
【００４５】
出力変更情報の例は、以下である。（１）条件情報「（（ユーザ情報．アレルギー対象の食材＝小麦）ＯＲ（家族情報．アレルギー対象の食材＝小麦））  ＡＮＤ  （商品情報．食材＝小麦）」,変更情報「アラーム図柄付加（商品情報）」（２）条件情報「（（ユーザ情報．カロリーを気にするか否か＝ＯＮ）ＯＲ（ユーザ情報．ダイエット中＝ＯＮ）ＯＲ（家族情報．カロリーを気にするか否か＝ＯＮ）ＯＲ（家族情報．ダイエット中＝ＯＮ）  ＡＮＤ  （商品情報．低カロリー商品＝ＯＮ））」，変更情報「強調表示（商品情報）」（３）条件情報「（（ユーザ情報．血圧＞＝１３５）ＯＲ（家族情報．血圧＞＝１３５））」,変更情報「ｉｆ（減塩レシピであることを示す情報＝ＯＮ）｛ｇｅｔ  レシピ情報｝」（４）条件情報「（小学校１年生＜＝家族情報．学年＜＝小学校３年生）」,変更情報「ｉｆ（小学校低学年向けお弁当レシピ＝ＯＮ）｛ｇｅｔ  レシピ情報｝」等である。
【００４６】
なお、出力変更情報（１）は、ユーザ自身または家族の誰かが小麦アレルギーである場合に、小麦を用いた食品にアラーム表示させるための出力変更情報である。また、出力変更情報（２）は、ユーザ自身または家族の誰かの属性値が「カロリーを気にするか否か＝ＯＮ」または「ダイエット中＝ＯＮ」であれば、「低カロリー商品」の商品情報を強調表示することを示す出力変更情報である。また、出力変更情報（３）は、ユーザ自身または家族の誰かの属性値「血圧」が１３５以上である場合、属性値「減塩レシピであることを示す情報＝ＯＮ」に対応するレシピ情報を得るための出力変更情報である。出力変更情報（４）は、ユーザ自身または家族の誰かの属性値が「小学校低学年」である場合、小学校低学年向けお弁当レシピを出力するための出力変更情報である。なお、変更情報「アラーム図柄付加（商品情報）」は、該当する商品情報にアラーム図柄を付加する処理を行うことを示す。
【００４７】
なお、変更情報「アラーム図柄付加（商品情報）」は、該当する商品情報に対応付けて、アラームを示す図柄を付加する関数である。また、アラーム図柄は、警告するための図柄であり、格納部１１に格納されている。変更情報「強調表示（商品情報）」は、該当する商品情報を強調表示する関数である。また、変更情報「ｉｆ（減塩レシピであることを示す情報＝ＯＮ）｛ｇｅｔ  レシピ情報｝」は、減塩レシピであるレシピ情報を取得し、出力する処理を行うことを示す。さらに、変更情報「ｉｆ（小学校低学年向けお弁当レシピ＝ＯＮ）｛ｇｅｔ  レシピ情報｝」は、小学校低学年向けお弁当レシピであるレシピ情報を取得し、出力する処理を行うことを示す。
【００４８】
受付部１２は、各種の情報または指示等を受け付ける。各種の情報または指示とは、例えば、商品情報集合、ユーザ情報、家族情報、出力変更情報である。
【００４９】
なお、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。また、各種の情報等の入力手段は、タッチパネルやキーボードやマウスやメニュー画面によるもの等、何でも良い。受付部１２は、タッチパネルやキーボード等の入力手段のデバイスドライバーや、メニュー画面の制御ソフトウェア等で実現され得る。
【００５０】
受信部１３は、各種の情報や指示等を受信する。受信部１３は、例えば、端末装置２から各種の情報や指示等を受信する。また、受信部１３は、例えば、店舗に設置されたビーコン等から各種の情報や指示等を受信する。各種の情報や指示等とは、例えば、一の識別コード、ユーザ識別子、一の商品情報の選択である。一の商品情報の選択とは、端末装置２で、複数の商品情報が出力されている状態において、受け付けられた一の商品情報の選択である。一の商品情報の選択は、例えば、商品識別子を有する。
【００５１】
受信部１３は、一の識別コードを受信する。一の識別コードは、一の配置場所に対応するコードである。一の識別コードは、例えば、一の配置場所を識別する情報である。識別コードは、例えば、図柄コード（例えば、ＱＲコード（登録商標）、バーコード等）、図柄コードに埋め込まれたコード、数字列、文字列などである。
【００５２】
配置場所は、店舗内の複数の商品が陳列される場所である。一の配置場所は、例えば、店舗内の一の棚、店舗内の棚の一列、店舗内の一の領域、店舗内の一の冷蔵庫、店舗内の一の冷蔵庫の一の領域である。なお、店舗は、通常、屋内であるが、屋外でも良い。
【００５３】
受信部１３が受信する一の識別コードは、端末装置２に対応付けられている。受信部１３は、例えば、一の識別コードと端末装置２のユーザ識別子とを対にして受信する。受信部１３は、端末装置２のユーザを識別するユーザ識別子をも端末装置２から受信することは好適である。
【００５４】
なお、受信部１３は、ユーザ識別子を、識別コードを受け付けた端末装置２から受信しても良いし、端末装置２の端末識別子を受信したビーコン等から受信しても良い。受信部１３は、例えば、端末装置２の端末識別子と対に識別コードを受信する。
【００５５】
処理部１４は、各種の処理を行う。各種の処理とは、例えば、取得部１４１が行う処理である。
【００５６】
取得部１４１は、受信された一の識別コードに対応付けられた複数の商品に関する複数の商品情報の集合である商品情報集合を取得する。取得部１４１は、例えば、受信された一の識別コードに対応付けられている商品情報集合を商品情報集合格納部１１１から取得する。取得部１４１は、例えば、受信された一の識別コードに対応付けられている商品情報集合を、商品情報を管理する外部の図示しないサーバ装置から取得する。なお、ここで、取得部１４１が取得する商品情報は、管理されている商品に関する情報のうちの一部の情報でも良い。
【００５７】
取得部１４１は、商品情報集合が有する複数の商品情報を用いて、１または２以上の比較表を構成する。取得部１４１は、商品情報集合が有する複数の商品情報が比較可能な態様である１または２以上の比較表を構成する。比較表は、複数の商品情報を比較できる情報である。比較表は、複数の商品情報が同様のレイアウトで並んでいる態様であれば良い。比較表に含まれる商品情報は、商品情報集合格納部１１１に格納されている商品情報のうちの一部の属性値で構成されても良い。
【００５８】
複数の商品情報が比較可能な態様であることは、例えば、複数の商品情報が一画面に表示されている状態である。複数の商品情報が比較可能な態様であることは、例えば、複数の商品情報の一覧表である。複数の商品情報が比較可能な態様であることは、例えば、スクロールして、複数の商品の情報を見ることができる状態も含む、と考えても良い。ただし、複数の商品情報が比較可能な態様であることは、別画面での各商品情報の表示は含まれない。
【００５９】
取得部１４１は、受信された識別コードが有する店舗識別子に対応する店舗情報をも取得する。取得部１４１は、例えば、識別コードが有する店舗識別子に対応する店舗情報を格納部１１から取得する。また、取得部１４１は、例えば、識別コードが有する店舗識別子に対応する店舗情報を、外部の図示しない装置から取得する。
【００６０】
取得部１４１は、受信されたユーザ識別子と対になるユーザに関するユーザ情報をも取得することは好適である。取得部１４１は、例えば、受信されたユーザ識別子と対になるユーザ情報をユーザ情報格納部１１２または外部の図示しない装置から取得する。
【００６１】
取得部１４１は、受信されたユーザ識別子と対になるユーザの家族に関する家族情報をも取得することは好適である。取得部１４１は、例えば、受信されたユーザ識別子と対になるユーザの家族に関する家族情報を家族情報格納部１１３または外部の図示しない装置から取得する。
【００６２】
取得部１４１は、受信されたユーザ識別子と対になるユーザ情報または家族情報が有するユーザ属性値または家族属性値を取得し、ユーザ属性値または家族属性値に合致する条件情報と対になる変更情報が特性する出力態様の変更を行った１以上の商品情報を含む商品情報集合を取得することは好適である。
【００６３】
取得部１４１は、受信されたユーザ識別子と対になるユーザ情報が有するユーザ属性値および家族情報が有する家族属性値を取得し、取得したユーザ属性値と家族属性値に合致する条件情報と対になる変更情報が特性する出力態様の変更を行った１以上の商品情報を含む商品情報集合を取得しても良い。
【００６４】
取得部１４１は、例えば、受信された商品情報の選択に含まれる商品識別子を取得し、当該商品識別子に対応する商品情報が有する位置情報を取得する。そして、取得部１４１は、受信された識別コードに対応する商品陳列画像を取得する。次に、取得部１４１は、当該商品陳列画像の中の商品の位置情報が示す位置または領域を他の位置または領域と異なる態様となるように商品陳列画像を変更し、送信する商品陳列画像等を構成しても良い。位置情報が示す位置または領域を他の位置または領域と異なる態様となるように商品陳列画像は、例えば、位置情報が示す位置または領域がハイライトされている、位置情報に対応付けて図柄または文字列（例えば「注」）が配置されている、位置情報が示す領域の背景色が他の領域と異なる等である。
【００６５】
商品情報取得手段１４１１は、受信された一の識別コードに対応付けられた複数の商品に関する複数の商品情報の集合である商品情報集合を取得する。
【００６６】
ユーザ情報取得手段１４１２は、受信されたユーザ識別子と対になるユーザ情報を、ユーザ情報格納部１１２または外部の図示しない装置から取得する。
【００６７】
家族情報取得手段１４１３は、受信されたユーザ識別子と対になる家族情報を、家族情報格納部１１３または外部の図示しない装置から取得する。
【００６８】
比較表構成手段１４１４は、商品情報取得手段１４１１が取得した商品情報集合を用いた比較表を構成する。なお、２以上の商品情報を含む商品情報集合から比較表を構成する処理は公知技術であるので詳細な説明を省略する。
【００６９】
比較表構成手段１４１４は、取得されたユーザ情報と家族情報のうちの１種類以上の情報を出力変更情報格納部１１４の出力変更情報に適用し、ユーザ情報と家族情報のうちの１種類以上により変更された比較表を構成することは好適である。
【００７０】
送信部１５は、取得部１４１が取得した商品情報集合を端末装置２に送信する。また、送信部１５は、例えば、取得部１４１が構成した比較表を端末装置２に送信する。
【００７１】
送信部１５は、例えば、取得部１４１が取得した商品情報集合と店舗情報とを端末装置２に送信する。
【００７２】
送信部１５は、例えば、商品陳列画像を端末装置２に送信する。送信部１５は、例えば、一の商品情報の選択に応じて、当該一の商品情報に対する商品の位置を視覚的に明示する商品陳列画像を端末装置２に送信する。
【００７３】
商品情報集合送信部１５１は、取得部１４１が取得した商品情報集合を端末装置２に送信する。
【００７４】
商品陳列画像送信部１５２は、端末装置２で、複数の商品情報が出力されている状態において、受け付けられた一の商品情報の選択に対して、一の配置場所における選択された商品情報に対する商品の位置を視覚的に明示する商品陳列画像を端末装置２に送信する。
【００７５】
端末装置２を構成する端末格納部２１には、各種の情報が格納される。各種の情報とは、例えば、ユーザを識別するユーザ識別子である。各種の情報は、例えば、端末受信部２５が受信した情報である。なお、ユーザ識別子は、端末装置２を識別する情報でも良い。
【００７６】
端末受付部２２は、各種の指示や情報等を受け付ける。各種の指示や情報等とは、例えば、識別コードである。識別コードが図柄コードに埋め込まれたコードである場合、端末受付部２２は、例えば、カメラと識別コードの読み込みのソフトウェア、ＭＰＵやメモリ等から実現され得る。また、識別コードが数字列または文字列である場合、端末受付部２２は、ユーザによる数字列または文字列の入力を受け付ける。また、識別コードが図柄コードである場合、端末受付部２２は、カメラにより実現され得る。
【００７７】
端末受付部２２は、例えば、ビーコンまたはＮＦＳ等により、識別コードを受け付けても良い。識別コードを受け付ける方法は問わない。
【００７８】
識別コードなどの入力手段は、テンキーやキーボードやマウスやメニュー画面によるもの等、何でも良い。端末受付部２２は、テンキーやキーボード等の入力手段のデバイスドライバーや、メニュー画面の制御ソフトウェア等で実現され得る。
【００７９】
端末処理部２３は、各種の処理を行う。各種の処理とは、例えば、端末受信部２５が受信した情報を表示されるデータに構成する処理である。各種の処理とは、例えば、端末受付部２２が受け付けた指示等を送信する指示等に構成する処理である。
【００８０】
端末送信部２４は、各種の指示や情報等をサーバ装置１  に送信する。各種の指示や情報等とは、例えば、識別コード、端末処理部２３が構成した指示、端末受付部２２が受け付けた指示や情報等である。
【００８１】
端末受信部２５は、各種の情報をサーバ装置１から受信する。各種の情報とは、例えば、商品情報集合、対比表、商品陳列画像である。
【００８２】
端末出力部２６は、各種の情報を出力する。各種の情報とは、例えば、端末受付部２２が受け付けた情報、端末受信部２５が受信した情報、端末処理部２３が構成した情報である。各種の情報とは、例えば、商品情報集合、対比表、商品陳列画像である。
【００８３】
ここで、出力とは、通常、ディスプレイへの表示であるが、プロジェクターを用いた投影、プリンタでの印字、音出力、外部の装置への送信、記録媒体への蓄積、他の処理装置や他のプログラムなどへの処理結果の引渡しなどを含む概念である、と考えても良い。
【００８４】
格納部１１、商品情報集合格納部１１１、ユーザ情報格納部１１２、家族情報格納部１１３、出力変更情報格納部１１４、および端末格納部２１は、不揮発性の記録媒体が好適であるが、揮発性の記録媒体でも実現可能である。
【００８５】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００８６】
受信部１３、および端末受信部２５は、通常、無線または有線の通信手段で実現されるが、放送を受信する手段で実現されても良い。
【００８７】
処理部１４、取得部１４１、商品情報取得手段１４１１、ユーザ情報取得手段１４１２、家族情報取得手段１４１３、比較表構成手段１４１４、および端末処理部２３は、通常、ＭＰＵやメモリ等から実現され得る。処理部１４等の処理手順は、通常、ソフトウェアで実現され、当該ソフトウェアはＲＯＭ等の記録媒体に記録されている。但し、ハードウェア（専用回路）で実現しても良い。
【００８８】
送信部１５、商品情報集合送信部１５１、商品陳列画像送信部１５２、および端末送信部２４は、通常、無線または有線の通信手段で実現されるが、放送手段で実現されても良い。
【００８９】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００９０】
次に、情報システムＡの動作例について説明する。まず、サーバ装置１の動作例について、図３のフローチャートを用いて説明する。
【００９１】
（ステップＳ３０１）受信部１３は、識別コード等を受信したか否かを判断する。識別コード等を受信した場合はステップＳ３０２に行き、識別コード等を受信しなかった場合はステップＳ３０６に行く。なお、識別コード等とは、例えば、識別コードとユーザ識別子、または識別コードのみである。
【００９２】
（ステップＳ３０２）取得部１４１は、ステップＳ３０１で受信された識別コードに対応する２以上の商品情報を取得する。
【００９３】
（ステップＳ３０３）取得部１４１は、ステップＳ３０１で受信された識別コードが有する店舗識別子を取得し、当該店舗識別子に対応する店舗情報を取得する。
【００９４】
（ステップＳ３０４）取得部１４１は、ステップＳ３０２で取得した２以上の商品情報、ステップＳ３０３で取得した店舗情報を用いて、送信する情報である出力情報を構成する。出力情報を構成する出力情報構成処理について、図４のフローチャートを用いて説明する。
【００９５】
（ステップＳ３０５）商品情報集合送信部１５１は、ステップＳ３０４で構成された出力情報を端末装置２に送信する。ステップＳ３０１に戻る。なお、出力情報は、商品情報集合と言っても良い。
【００９６】
（ステップＳ３０６）受信部１３は、商品情報の選択を受信したか否かを判断する。商品情報の選択を受信した場合はステップＳ３０７に行き、商品情報の選択を受信しなかった場合はステップＳ３０１に戻る。なお、商品情報の選択とは、ユーザによる端末装置２での商品情報の選択の指示である。商品情報の選択は、例えば、商品識別子を含む。
【００９７】
（ステップＳ３０７）取得部１４１は、商品情報の選択に含まれる商品識別子を取得する。次に、取得部１４１は、当該商品識別子に対応する商品情報を取得する。
【００９８】
（ステップＳ３０８）取得部１４１は、当該商品識別子と対になる商品の位置情報を、ステップＳ３０７で取得した商品情報から取得する。
【００９９】
（ステップＳ３０９）取得部１４１は、ステップＳ３０１で受信された識別コードに対応する商品陳列画像を取得する。次に、取得部１４１は、当該商品陳列画像の中の商品の位置情報が示す位置または領域を他の位置または領域と異なる態様となるように商品陳列画像を変更し、送信する商品陳列画像等を構成する。なお、商品陳列画像等とは、商品陳列画像のみでも良いし、商品陳列画像とステップＳ３０７で取得した商品情報等を有しても良い。
【０１００】
（ステップＳ３１０）商品陳列画像送信部１５２は、ステップＳ３０９で構成された商品陳列画像等を端末装置２に送信する。ステップＳ３０１に戻る。
【０１０１】
なお、図３のフローチャートにおいて、電源オフや処理終了の割り込みにより処理は終了する。
【０１０２】
次に、ステップＳ３０４の出力情報構成処理の例について、図４のフローチャートを用いて説明する。
【０１０３】
（ステップＳ４０１）ユーザ情報取得手段１４１２は、ステップＳ３０１で受信されたユーザ識別子を取得する。
【０１０４】
（ステップＳ４０２）ユーザ情報取得手段１４１２は、ステップＳ４０１で取得したユーザ識別子に対応するユーザ情報を取得する。
【０１０５】
（ステップＳ４０３）家族情報取得手段１４１３は、ステップＳ４０１で取得したユーザ識別子に対応する家族情報を取得する。
【０１０６】
（ステップＳ４０４）取得部１４１は、カウンタｉに１を代入する。
【０１０７】
（ステップＳ４０５）取得部１４１は、出力変更情報格納部１１４にｉ番目の出力変更情報が存在するか否かを判断する。ｉ番目の出力変更情報が存在する場合はステップＳ４０６に行き、ｉ番目の出力変更情報が存在しない場合はステップＳ４１１に行く。
【０１０８】
（ステップＳ４０６）取得部１４１は、出力変更情報格納部１１４にｉ番目の条件情報を取得する。
【０１０９】
（ステップＳ４０７）取得部１４１は、ステップＳ４０２で取得したユーザ情報、またはステップＳ４０３で取得した家族情報のうちの１種類以上の情報が、ｉ番目の条件情報が示す条件に合致するか否かを判断する。条件に合致する場合はステップＳ４０８に行き、条件に合致しない場合はステップＳ４１０に行く。
【０１１０】
（ステップＳ４０８）取得部１４１は、ｉ番目の出力変更情報が有する変更情報を取得する。
【０１１１】
（ステップＳ４０９）取得部１４１は、ステップＳ４０８で取得した変更情報に従った変更処理を、ステップＳ３０２で取得した２以上の商品情報に対して行う。
【０１１２】
（ステップＳ４１０）取得部１４１は、カウンタｉを１、インクリメントする。ステップＳ４０５に戻る。
【０１１３】
（ステップＳ４１１）取得部１４１は、ステップＳ４０９で変更処理を行った結果の２以上の商品情報を用いて、出力する情報を構成する。上位処理にリターンする。なお、出力する情報は、例えば、対応表である。
【０１１４】
次に、端末装置２の動作例について、図５のフローチャートを用いて説明する。
【０１１５】
（ステップＳ５０１）端末受付部２２は、識別コードを受け付けたか否かを判断する。識別コードを受け付けた場合はステップＳ５０２に行き、識別コードを受け付けなかった場合はステップＳ５０７に行く。なお、識別コードの受け付けは、例えば、識別コードが埋め込まれた図柄コード（例えば、バーコード、ＱＲコード）の読み込み、ユーザによる識別コードの入力の受け付け、ＮＦＳによる識別コードの受信、ビーコンからの識別コードの受信等である。
【０１１６】
（ステップＳ５０２）端末処理部２３は、端末受付部２２が受け付けた識別コード等から送信する識別コード等を構成する。端末処理部２３は、例えば、端末格納部２１のユーザ識別子を読み出し、当該ユーザ識別子と識別コードから送信する識別コード等を構成する。
【０１１７】
（ステップＳ５０３）端末送信部２４は、ステップＳ５０２で構成された識別コード等をサーバ装置１に送信する。
【０１１８】
（ステップＳ５０４）端末受信部２５は、出力情報をサーバ装置１から受信したか否かを判断する。出力情報を受信した場合はステップＳ５０５に行き、受信しなかった場合はステップＳ５０４に戻る。
【０１１９】
（ステップＳ５０５）端末処理部２３は、端末受信部２５が受信した出力情報から出力される出力情報を構成する処理を行う。
【０１２０】
（ステップＳ５０６）端末出力部２６は、ステップＳ５０５で構成された出力情報を出力する。ステップＳ５０１に戻る。
【０１２１】
（ステップＳ５０７）端末受付部２２は、ユーザから一の商品情報の選択を受け付けたか否かを判断する。一の商品情報の選択を受け付けた場合はステップＳ５０８に行き、一の商品情報の選択を受け付けなかった場合はステップＳ５０１に戻る。なお、一の商品情報の選択の入力は、複数の商品情報が端末装置２で出力されている状況において行われる。
【０１２２】
（ステップＳ５０８）端末処理部２３は、送信する情報（商品情報の選択）を構成する。送信する情報は、例えば、商品情報の選択に対応する商品識別子を有する。
【０１２３】
（ステップＳ５０９）端末送信部２４は、ステップＳ５０８で構成された商品情報の選択をサーバ装置１に送信する。
【０１２４】
（ステップＳ５１０）端末受信部２５は、商品陳列画像等をサーバ装置１から受信したか否かを判断する。商品陳列画像等を受信した場合はステップＳ５１１に行き、受信しなかった場合はステップＳ５１０に戻る。
【０１２５】
（ステップＳ５１１）端末処理部２３は、ステップＳ５１０で受信された商品陳列画像等から出力される情報を構成する処理を行う。
【０１２６】
（ステップＳ５１２）端末出力部２６は、ステップＳ５１１で構成された商品陳列画像等を出力する。ステップＳ５０１に戻る。
【０１２７】
なお、図５のフローチャートにおいて、電源オフや処理終了の割り込みにより処理は終了する。
【０１２８】
以下、本実施の形態における情報システムＡの具体的な動作について説明する。情報システムＡの概念図は図１である。
【０１２９】
今、商品情報集合格納部１１１には、図６に示す商品情報管理表が格納されている、とする。商品情報管理表は、１以上の商品情報を管理する表である。商品情報管理表は、「商品識別子」「商品名」「商品属性値」「商品画像」を有するレコードを格納している。「商品属性値」は、ここでは「種類情報」「仕様情報」「価格」を有する。「仕様情報」は、ここでは、「サイズ」「重量」「性能情報」「材料」を有する。なお、商品情報管理表は、２以上の店舗で使用され、２以上の店舗に存在する端末装置からアクセスされることは好適である。
【０１３０】
また、商品情報集合格納部１１１には、図７に示す商品配置管理表が格納されている。商品配置管理表は、１または２以上の各店舗における商品の店舗内での配置を管理する表である。商品配置管理表は、「ＩＤ」「識別コード」「商品識別子」「位置情報」を有するレコードを格納している。「ＩＤ」はレコードを識別する情報である。「識別コード」は、ここでは「店舗識別子」と「配置識別子」とを有する。「店舗識別子」は店舗を識別する識別子である。「配置識別子」は、店舗内の商品の配置位置を識別する識別子である。なお、配置位置を識別する識別子とは、例えば、配置されている棚を識別する識別子、配置されている棚の中の段または領域を識別する識別子、配置されている領域を識別する識別子である。「位置情報」は、「配置識別子」が示す配置位置の中の、対応する商品識別子で識別される商品の位置または領域を特定する情報である。商品配置管理表の各レコードは、商品が配置されている店舗内の位置を特定するための情報である。
【０１３１】
また、格納部１１には、図８に示す商品陳列画像管理表が格納されている。商品陳列画像管理表は、商品陳列画像と当該画像の位置とを管理する表である。商品陳列画像管理表は、「店舗識別子」「配置識別子」「商品陳列画像」を有するレコードを格納している。「店舗識別子」と「配置識別子」とを合わせた情報は、ここでは識別コードである。
【０１３２】
また、ユーザ情報格納部１１２には、図９に示すユーザ情報管理表が格納されている。ユーザ情報管理表は、１以上のユーザ情報を管理する表である。ユーザ情報管理表は、「ユーザ識別子」「ユーザ属性値」を有するレコードを格納している。「ユーザ属性値」は、ここでは「氏名」「年齢」「住所」「職業」「アレルギー情報」「生体情報」を有する。「アレルギー情報」は、アレルギーに関する情報であり、ここでは、アレルギー対象の食材である。生体情報は、ここでは、「血圧」、「カロリーを気にするか否か」である。
【０１３３】
また、家族情報格納部１１３には、図１０に示す構造を有する家族情報管理表が格納されている。家族情報管理表は、ユーザの家族の情報を管理する表である。家族情報管理表は、「ユーザ識別子」、「家族情報」を有する１以上のレコードが格納されている。「家族情報」は、「家族全体属性値」、「メンバー情報」を有する。「家族全体属性値」には、家族の中のメンバーが特定できない家族属性値（例えば、富裕層）が入る。「家族全体属性値」は、ここでは「好素材情報」「嫌素材情報」「嫌産地情報」「他」を有する。「好素材情報」は家族が好きな材料、「嫌素材情報」は家族が嫌いな材料、「嫌産地情報」は家族が嫌いな産地を示す。「メンバー情報」は、家族の各メンバーの情報であり、ここでは、「メンバー識別子」、１以上の「家族個別属性値」を有する。「家族個別属性値」には、家族の中のメンバーが特定できる家族属性値（例えば、年齢属性値、性別属性値）が入る。「家族個別属性値」は、ここでは「年齢属性値」「性別」「他」を有する。
【０１３４】
また、出力変更情報格納部１１４には、図１１に示す出力変更情報管理表が格納されている。出力変更情報管理表は、出力変更情報を格納する表である。出力変更情報は、「条件情報」「変更情報」を有するレコードである。
【０１３５】
また、図示しないが、格納部１１には、２以上の各店舗識別子に対応付けて、店舗情報が管理されている、とする。店舗情報は、ここでは、店舗のロゴ、店舗を紹介する情報等である。
【０１３６】
さらに、図示しないが、格納部１１には、属性値「減塩であることを示す情報がＯＮ」と対になるレシピ情報、属性値「小学生低学年向けお弁当レシピ＝ＯＮ」と対になるレシピ情報など、属性値に対応付けられたレシピ情報が２以上、格納されている、とする。
【０１３７】
かかる状況において、以下の２つの具体例について説明する。具体例１は、ユーザが、店舗識別子「１０」で識別される店舗（電器店）でアクションを起こす場合である。
【０１３８】
具体例１は、ユーザが端末装置２で読み取った識別コードに対応する棚に陳列されている２以上の商品情報を有する比較表を出力し、当該比較表の中の、ユーザによる一の商品情報の選択により、棚の中の商品の位置が視覚的に表示される商品陳列画像を出力する場合である。
【０１３９】
具体例２は、ユーザが、店舗識別子「１１」で識別される店舗（スーパー）でアクションを起こす場合である。具体例２は、ユーザが端末装置２で読み取った識別コードに対応する棚に陳列されている２以上の商品情報を有する比較表を出力する例であり、比較表の中に、ユーザ情報または家族情報に基づいて、条件を満たす商品に対して、ユーザに注意喚起等する場合である。
【０１４０】
（具体例１）
ユーザ（田中Ａ夫）は、店舗識別子「１０」で識別される電器店に入り、図１２のイメージ図に示すように、電器店の商品の種類ごとに分けられた各陳列コーナーに貼られているＱＲコードの中で、ドライヤーの陳列コーナーのＱＲコードを、自分の端末装置２（ここでは、スマートフォン）で読み取った、とする。
【０１４１】
次に、端末装置２の端末受付部２２は、ＱＲコードを読み取った結果である識別コード「１０００１」を受け付ける。なお、識別コードの前２桁の数字「１０」は店舗識別子であり、後ろ３桁の数字「００１」は配置識別子である、とする。
【０１４２】
次に、端末処理部２３は、端末受付部２２が受け付けた識別コード「１０００１」と端末格納部２１のユーザ識別子「ｕ００１」から送信する識別コード等「ｕ００１，１０００１」を構成する。
【０１４３】
次に、端末送信部２４は、構成された識別コード等「ｕ００１，１０００１」をサーバ装置１に送信する。
【０１４４】
次に、サーバ装置１の受信部１３は、識別コード等「ｕ００１，１０００１」を受信する。
【０１４５】
次に、取得部１４１は、受信された識別コード「１０００１」に対応する２以上の商品識別子「１」「２」「３」等を図７の商品配置管理表から取得する。
【０１４６】
次に、取得部１４１は、取得した商品識別子「１」「２」「３」等に対応する商品情報を、図６の商品情報管理表から取得する。
【０１４７】
次に、取得部１４１は、受信された識別コードが有する店舗識別子「１０」を取得し、当該店舗識別子に対応する店舗情報を格納部１１から取得する。
【０１４８】
次に、取得部１４１は、取得した２以上の商品情報、取得した店舗情報を用いて、送信する情報である出力情報を構成する。出力情報は、２以上の商品情報からなる比較表、および取得した店舗情報を有する。
【０１４９】
次に、商品情報集合送信部１５１は、構成された出力情報を端末装置２に送信する。
【０１５０】
次に、端末装置２の端末受信部２５は、出力情報をサーバ装置１から受信する。そして、端末処理部２３は、端末受信部２５が受信した出力情報から出力される出力情報を構成する処理を行う。次に、端末出力部２６は、構成された出力情報を出力する。かかる出力例は、図１３である。なお、図１３の１３０１等は、選択可能な商品情報であり、図１３において、複数の商品情報が比較可能な態様で表示されている。また、１３０２は、店舗情報の店舗のロゴである。
【０１５１】
ここで、ユーザは、図１３の１３０１の商品情報に対して、選択する操作を行った、とする。なお、選択する操作は、例えば、クリック、ダブルクリック等である。
【０１５２】
すると、端末受付部２２は、ユーザから一の商品情報の選択を受け付ける。次に、端末処理部２３は、当該選択された一の商品情報の商品識別子「２」と店舗識別子「１０」とを取得し、当該商品識別子を有する商品情報の選択を構成する。次に、端末送信部２４は、構成された商品情報の選択をサーバ装置１に送信する。
【０１５３】
次に、サーバ装置１の受信部１３は、商品情報の選択を受信する。なお、商品情報の選択は、商品識別子「２」と店舗識別子「１０」とを含む。
【０１５４】
次に、取得部１４１は、商品情報の選択に含まれる商品識別子「２」に対応する商品情報のうち、送信する情報（例えば、商品画像など）を図６に示す商品情報管理表から取得する。
【０１５５】
次に、取得部１４１は、商品情報の選択に含まれる商品識別子「２」と店舗識別子「１０」とを取得する。次に、取得部１４１は、当該商品識別子「２」と店舗識別子「１０」と対になる商品の位置情報（ｘＢ１，ｙＢ１）（ｘＢ２，ｙＢ２）を、図７の商品配置管理表から取得する。
【０１５６】
次に、取得部１４１は、受信された識別コード「１０００１」に対応する商品陳列画像を図８に示す商品陳列画像管理表から取得する。次に、取得部１４１は、当該商品陳列画像の中の商品の位置情報（ｘＢ１，ｙＢ１）（ｘＢ２，ｙＢ２）が示す領域を他の位置または領域と異なる態様となるように商品陳列画像を変更し、送信する商品陳列画像等を構成する。ここでは、例えば、取得部１４１は、商品陳列画像の中の（ｘＢ１，ｙＢ１）（ｘＢ２，ｙＢ２）が示す領域を目立つ態様でハイライトする。
【０１５７】
次に、取得部１４１は、取得した商品画像、および一部がハイライトされた商品陳列画像等から送信する情報を構成する。
【０１５８】
次に、商品陳列画像送信部１５２は、かかる商品陳列画像等を含む情報を端末装置２に送信する。
【０１５９】
次に、端末受信部２５は、商品陳列画像等をサーバ装置１から受信する。そして、端末処理部２３は、受信された商品陳列画像等から出力される情報を構成する処理を行う。次に、端末出力部２６は、構成された商品陳列画像等を出力する。かかる出力例は、図１４である。図１４の１４０１は、ユーザが選択したドライヤーが配置されている領域を示す商品陳列画像である。
【０１６０】
（具体例２）
ユーザ（山田Ｂ子）は、店舗識別子「１１」で識別されるスーパーに入り、図１５のイメージ図に示すように、スーパーの商品の種類ごとに分けられた各陳列コーナーに貼られているＱＲコードの中で、カップ麺の陳列コーナーのＱＲコードを、自分の端末装置２（ここでは、スマートフォン）で読み取った、とする。
【０１６１】
次に、端末装置２の端末受付部２２は、ＱＲコードを読み取った結果である識別コード「１１１０１」を受け付ける。なお、識別コードの前２桁の数字「１１」は店舗識別子であり、後ろ３桁の数字「１０１」は配置識別子である、とする。
【０１６２】
次に、端末処理部２３は、端末受付部２２が受け付けた識別コード「１１１０１」と端末格納部２１のユーザ識別子「ｕ００２」から送信する識別コード等「ｕ００２，１１１０１」を構成する。
【０１６３】
次に、端末送信部２４は、構成された識別コード等「ｕ００２，１１１０１」をサーバ装置１に送信する。
【０１６４】
次に、サーバ装置１の受信部１３は、識別コード等「ｕ００２，１１１０１」を受信する。
【０１６５】
次に、取得部１４１は、受信された識別コード「１１１０１」に対応する２以上の商品識別子「６８９」「６９０」等を図７の商品配置管理表から取得する。
【０１６６】
次に、取得部１４１は、受信された識別コードが有する店舗識別子「１１」を取得し、当該店舗識別子に対応する店舗情報を格納部１１から取得する。
【０１６７】
次に、取得部１４１は、取得した２以上の商品情報、取得した店舗情報を用いて、例えば、以下のように出力情報を構成する。
【０１６８】
まず、ユーザ情報取得手段１４１２は、受信されたユーザ識別子「ｕ００２」を取得する。次に、ユーザ情報取得手段１４１２は、取得したユーザ識別子「ｕ００２」に対応するユーザ情報を図９に示すユーザ情報管理表から取得する。
【０１６９】
次に、家族情報取得手段１４１３は、ユーザ識別子「ｕ００２」に対応する家族情報を図１０に示す家族情報管理表から取得する。
【０１７０】
次に、取得部１４１は、取得したユーザ情報と家族情報が、図１１の各出力変更情報の条件情報に合致するか否かを判断する。ここで、取得部１４１は、山田Ｂ子のアレルギー情報「小麦」と、図６の商品識別子「６８９」の商品情報の「小麦」とにより、「ＩＤ＝１」の出力変更情報の条件情報を満たす、と判断する。そして、取得部１４１は、商品識別子「６８９」の商品情報に対して、「アラーム図柄付加」を実行する。つまり、取得部１４１は、受信された識別コードが有する配置識別子「１０１」と対になる商品陳列画像を図８から取得し、商品識別子「６８９」と対になる位置情報（ｘ１１１，ｙ１１１）（ｘ１１２，ｙ１１２）を取得し、当該位置情報（ｘ１１１，ｙ１１１）（ｘ１１２，ｙ１１２）により示される領域に、格納部１１に格納されているアラーム図柄を付加する。なお、アラーム図柄は、（注）の図柄である。
【０１７１】
また、取得部１４１は、山田Ｂ子のユーザ情報の血圧「１４０」から、「ＩＤ＝３」の出力変更情報の条件情報を満たす、と判断する。次に、取得部１４１は、「ＩＤ＝３」の変更情報から、「減塩であることを示す情報がＯＮ」に対応するレシピ情報を格納部１１から取得する。
【０１７２】
次に、取得部１４１は、アラーム図柄が付与された商品陳列画像、および取得したレシピ情報から、出力する情報を構成する。
【０１７３】
次に、商品情報集合送信部１５１は、構成された出力情報を端末装置２に送信する。
【０１７４】
次に、端末装置２の端末受信部２５は、出力情報をサーバ装置１から受信する。そして、端末処理部２３は、端末受信部２５が受信した出力情報から出力される出力情報を構成する処理を行う。次に、端末出力部２６は、構成された出力情報を出力する。かかる出力例は、図１６である。なお、図１６の１６０１は、アラーム図柄である。
また、図１６の画面を下にスクロールした場合に、減塩を促進するレシピ情報が出力される、とする。
【０１７５】
以上、本実施の形態によれば、ユーザは、複数の商品が配置された配置場所に居ながら、当該複数の商品の商品情報を比較可能な態様で見ることができる。
【０１７６】
なお、本実施の形態によれば、ユーザは、商品属性値によって２以上に分類される複数の商品が配置された配置場所に居ながら、商品属性値ごとの比較表を見ることができる。
【０１７７】
また、本実施の形態によれば、ユーザ情報を加味した複数の商品の商品情報を出力できる。
【０１７８】
また、本実施の形態によれば、家族情報を加味した複数の商品の商品情報を出力できる。
【０１７９】
また、本実施の形態によれば、商品陳列画像を用いて、陳列されている商品の中で、ユーザが選択した商品の位置を視覚的に明示できる。
【０１８０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、例えば、コンピュータを、店舗内の複数の商品が陳列される一の配置場所に対応する識別コードであり、端末装置に対応付けられた一の識別コードを受信する受信部と、前記一の識別コードに対応付けられた複数の商品に関する複数の商品情報の集合である商品情報集合を取得する取得部と、前記取得部が取得した商品情報集合を前記端末装置に送信する商品情報集合送信部として機能させ、前記端末装置において、前記送信部が送信した商品情報集合が有する複数の商品情報が比較可能な態様で出力される、プログラムである。
【０１８１】
また、図１７は、本明細書で述べたプログラムを実行して、上述した種々の実施の形態のサーバ装置等を実現するコンピュータの外観を示す。上述の実施の形態は、コンピュータハードウェア及びその上で実行されるコンピュータプログラムで実現され得る。図１７は、このコンピュータシステム３００の概観図であり、図１８は、システム３００のブロック図である。
【０１８２】
図１７において、コンピュータシステム３００は、ＣＤ−ＲＯＭドライブを３０１２含むコンピュータ３０１と、キーボード３０２と、マウス３０３と、モニタ３０４とを含む。
【０１８３】
図１８において、コンピュータ３０１は、ＣＤ−ＲＯＭドライブ３０１２と、ＭＰＵ３０１３と、バス３０１４と、ＲＯＭ３０１５と、ＲＡＭ３０１６と、ハードディスク３０１７とを含む。ＲＯＭ３０１５は、ブートアッププログラム等のプログラムを記憶している。ＲＡＭ３０１６は、ＭＰＵ３０１３に接続され、アプリケーションプログラムの命令を一時的に記憶するとともに一時記憶空間を提供する。ハードディスク３０１７は、通常、アプリケーションプログラム、システムプログラム、及びデータを記憶している。ここでは、図示しないが、コンピュータ３０１は、さらに、ＬＡＮへの接続を提供するネットワークカードを含んでも良い。
【０１８４】
コンピュータシステム３００に、上述した実施の形態のサーバ装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。また、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１８５】
プログラムは、コンピュータ３０１に、上述した実施の形態のサーバ装置等の機能を実行させるオペレーティングシステム（ＯＳ）、またはサードパーティープログラム等は、必ずしも含まなくても良い。プログラムは、制御された態様で適切なモジュールを呼び出し、所望の結果が得られるようにする命令の部分のみを含んでいれば良い。コンピュータシステム３００がどのように動作するかは周知であり、詳細な説明は省略する。
【０１８６】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１８７】
また、上記プログラムを実行するコンピュータは、単数であってもよく、複数であってもよい。すなわち、集中処理を行ってもよく、あるいは分散処理を行ってもよい。
【０１８８】
また、上記各実施の形態において、一の装置に存在する２以上の通信手段は、物理的に一の媒体で実現されても良いことは言うまでもない。
【０１８９】
また、上記各実施の形態において、各処理は、単一の装置によって集中処理されることによって実現されてもよく、あるいは、複数の装置によって分散処理されることによって実現されてもよい。
【０１９０】
本発明は、以上の実施の形態に限定されることなく、種々の変更が可能であり、それらも本発明の範囲内に包含されるものであることは言うまでもない。
【産業上の利用可能性】
【０１９１】
以上のように、本発明にかかるサーバ装置は、ユーザは、複数の商品が配置された配置場所に居ながら、当該複数の商品の商品情報を比較可能な態様で見ることができるという効果を有し、商品情報を管理するサーバ装置等として有用である。
【符号の説明】
【０１９２】
１  サーバ装置
２  端末装置
１１  格納部
１２  受付部
１３  受信部
１４  処理部
１５  送信部
２１  端末格納部
２２  端末受付部
２３  端末処理部
２４  端末送信部
２５  端末受信部
２６  端末出力部
１１１  商品情報集合格納部
１１２  ユーザ情報格納部
１１３  家族情報格納部
１１４  出力変更情報格納部
１４１  取得部
１５１  商品情報集合送信部
１５２  商品陳列画像送信部
１４１１  商品情報取得手段
１４１２  ユーザ情報取得手段
１４１３  家族情報取得手段
１４１４  比較表構成手段
【図１】
2019179294.tif 000003
【図２】
2019179294.tif 000004
【図３】
2019179294.tif 000005
【図４】
2019179294.tif 000006
【図５】
2019179294.tif 000007
【図６】
2019179294.tif 000008
【図７】
2019179294.tif 000009
【図８】
2019179294.tif 000010
【図９】
2019179294.tif 000011
【図１０】
2019179294.tif 000012
【図１１】
2019179294.tif 000013
【図１２】
2019179294.tif 000014
【図１３】
2019179294.tif 000015
【図１４】
2019179294.tif 000016
【図１５】
2019179294.tif 000017
【図１６】
2019179294.tif 000018
【図１７】
2019179294.tif 000019
【図１８】
2019179294.tif 000020